(57)【特許請求の範囲】
【請求項１】
第１シート材と、該第１シート材に形成されたスリットに挿入される第２シート材とを着脱可能に連結するシート材のロック機構であって、
前記第２シート材には折り曲げ可能なフラップが設けられ、前記第１シート材には前記スリットの長手方向に沿って前記フラップが係合する係合穴が一体形成されており、
前記フラップに押圧力を加えて折り曲げた状態で前記係合穴を通過させた後、前記押圧力を解除することにより、前記フラップが復元力により回動して前記係合穴の開口縁に係合することを特徴とするシート材のロック機構。
【請求項２】
前記フラップは、前記第２シート材の挿入側上端の角部において挿入方向を頂点とする略三角形状に形成されており、前記係合穴は、前記スリットの上端を頂点とする略くさび形に形成されることを特徴とする請求項１に記載のシート材のロック機構。
【請求項３】
前記第１シート材を含むシート成形品には、前記フラップと前記係合穴との係合を解除するための開口部が設けられることを特徴とする請求項１又は請求項２に記載のシート材のロック機構。
【発明の詳細な説明】
【技術分野】
【０００１】
本発明は、段ボールシート等のシート材を着脱可能に連結するためのロック機構に関するものである。
【背景技術】
【０００２】
従来、安価で高い強度を有し、リサイクルも可能で加工性にも優れた段ボールシート製の包装容器や梱包用スペーサ等の梱包材料が広く用いられている。このような段ボールシート製の包装材料は、段ボールシートを所定の形状に折り曲げて形成されるが、折り曲げられた包装材料の形状を維持するためには端部を固定しておく必要がある。
【０００３】
しかし、粘着テープ等の固定部材を用いると固定作業が煩雑となる上、固定部材の分だけコストアップに繋がるという問題点があった。そこで、段ボールの端部を簡単にロックする方法が提案されており、例えば特許文献１には、開閉可能な蓋部の一端に差し込み片を設けるとともに、本体側に設けられた係止片を差し込み片に形成されたスリットに差し込むことにより蓋部をロックするようにした包装箱が開示されている。
【特許文献１】特開平７−１１２７３７号公報
【発明の開示】
【発明が解決しようとする課題】
【０００４】
しかしながら、特許文献１の方法では、段ボールの端部を固定する際に差し込み片及び係止片の２つを順次差し込む必要があり、包装箱を分解する際にも２段階の取り外しが必要となるため、組み立て作業及び分解作業時の工数が多くなり作業性が悪くなっていた。
【０００５】
本発明は、上記問題点に鑑み、シート材の端部を確実に係止するとともに、組み立て及び分解作業時の工数も少ないシート材のロック機構を提供することを目的とする。
【課題を解決するための手段】
【０００６】
上記目的を達成するために本発明は、第１シート材と、該第１シート材に形成されたスリットに挿入される第２シート材とを着脱可能に連結するシート材のロック機構であって、前記第２シート材には折り曲げ可能なフラップが設けられ、前記第１シート材には前記スリットの長手方向に沿って前記フラップが係合する係合穴が一体形成されており、前記フラップに押圧力を加えて折り曲げた状態で前記係合穴を通過させた後、前記押圧力を解除することにより、前記フラップが復元力により回動して前記係合穴の開口縁に係合することを特徴としている。
【０００７】
また本発明は、上記構成のシート材のロック機構において、前記フラップは、前記第２シート材の挿入側上端の角部において挿入方向を頂点とする略三角形状に形成されており、前記係合穴は、前記スリットの上端を頂点とする略くさび形に形成されることを特徴としている。
【０００８】
また本発明は、上記構成のシート材のロック機構において、前記第１シート材を含むシート成形品には、前記フラップと前記係合穴との係合を解除するための開口部が設けられることを特徴としている。
【発明の効果】
【０００９】
本発明の第１の構成によれば、第２シート材の一部に設けられた折り曲げ可能なフラップが復元力により回動して係合穴の開口縁に係合するため、フラップを押圧して係合穴を通過させるだけで第１シート材と第２シート材とを簡単に連結し、さらに連結を解除することができる。
【００１０】
また、本発明の第２の構成によれば、上記第１の構成のシート材のロック機構において、フラップを第２シート材の挿入側上端の角部において挿入方向を頂点とする略三角形状に形成し、係合穴をスリットの上端を頂点とする略くさび形に形成することにより、フラップと係合穴との係合及び解除操作がより簡単なものとなる。
【００１１】
また、本発明の第３の構成によれば、上記第１又は第２の構成のシート材のロック機構において、シート成形品にフラップと係合穴との係合を解除するための開口部を設けることにより、シート成形品の分解や廃棄時における作業性が一層向上する。
【発明を実施するための最良の形態】
【００１２】
以下、図面を参照しながら本発明の実施形態について説明する。図１は、本発明のロック機構を備えた段ボールスペーサの展開図である。なお、図１中、抜き部分をハッチングで表示し、切り込みを実線、折り線（谷折り線）を破線で表示している。段ボールスペーサ１は、包装容器と製品（被梱包物）との隙間に配置することにより製品の容器内での移動を規制して衝撃や振動による破損や傷付きから保護するものである。本発明の段ボールスペーサ１は、図１に示すような一枚のシート材を所定の形状に打ち抜いたものを組み立てて形成されており、大まかには平行な折り線Ｌ１、Ｌ２を介して連続する側面部２、底面部３、及び支持部４から構成されている。
【００１３】
側面部２は、折り線Ｌ１及びＬ２に平行な折り線Ｌ３〜Ｌ５を介して連なる第１側面２ａ、第２側面２ｂ、第３側面２ｃ、及び第４側面２ｄに分割されており、第１側面２ａにはコ字状の切り込みＳ１が形成され、第４側面２ｄの先端には差し込み片５ａが形成されている。また、折り線Ｌ５から第２側面２ｂの中ほどに亘って折り線Ｌ４及びＬ５に垂直な２本のスリット７ａ、７ｂが形成されており、各スリット７ａ、７ｂの第２側面２ｂ側の端部には略くさび形の係合穴９ａ、９ｂが対称に形成されている。
【００１４】
各スリット７ａ、７ｂの折り線Ｌ５側の端部は切り込みＳ２で連結され、スリット７ａ、７ｂ及び切り込みＳ２で囲まれた部分が内曲げ部１１となっている。内曲げ部１１は折り線Ｌ３〜Ｌ５と平行な２本の折り線Ｌ６、Ｌ７で独立して折り曲げ可能となっており、先端には差し込み片５ｂが形成されている。折り線Ｌ６の中央には略Ｕ字状の切り込みＳ３が形成されている。
【００１５】
底面部３の略中央部には略コ字状の切り込みＳ４及び折り線Ｌ８で囲まれた略台形状の差し込み片５ｃが形成されている。側面部２及び底面部３の所定の位置には開口部１３ａ、１３ｂ、１３ｃ、及び１３ｄが形成されている。第１側面２ａと底面部３とに跨って形成された開口部１３ａは、被梱包物である製品の凸部との干渉を回避するための逃げ穴であり、第１側面２ａと第２側面２ｂに跨って形成された開口部１３ｂは、組み立て後の段ボールスペーサ１のロック機構（後述）を解除する際に指を挿入する穴であり、段ボールスペーサ１の把持部を兼ねている。
【００１６】
第２側面２ｂに形成された三角形の開口部１３ｃは段ボールスペーサ１の配置方向を確認するための方向指示マークである。内曲げ部１１の中央部に形成された開口部１３ｄは底面部３の差し込み片５ｃが挿入される差し込み穴であり、差し込み片５ｃの形状に合わせて形成されている。第４側面２ｄにはＵ字状の切り欠き１５ａが形成されており、側面部２が折り線Ｌ１及びＬ３〜Ｌ５に沿って角筒状に折り曲げられたとき開口部１３ａを封鎖しない構成とされている。
【００１７】
支持部４は、折り線Ｌ２を介して底面部３に連続する第１支持面４ａと、連結面４ａの左右に折り線Ｌ９、Ｌ１０を介して連続する第２支持面４ｂから成り、第１支持面４ａには半円状の切り欠き１５ｂが形成されている。第２支持面４ｂの外側角部には折り線Ｌ１１及び切り込みＳ５で囲まれた略三角形のフラップ１７が形成されている。
【００１８】
次に、本発明の段ボールスペーサ１の組み立て手順について説明する。先ず、図１の状態から折り線Ｌ１及びＬ３〜Ｌ５に沿って側面部２を角筒状に折り曲げ、第４側面２ｄを底面部３上に重ね合わせる。このとき、折り線Ｌ１の折り曲げによって切り込みＳ１の内側が切り起こされて差し込み穴１９（図３参照）が形成される。そして、第４側面２ｄの差し込み片５ａを差し込み穴１９に差し込んで固定する。
【００１９】
次いで、折り線Ｌ６及びＬ７に沿って内曲げ部１１を折り曲げた後、差し込み片５ｂを差し込み穴１９に差し込んで固定する。さらに、折り線Ｌ８に沿って底面部３の差し込み片５ｃを起こし、内曲げ部１１に形成された開口部１３ｄに差し込んで固定する。これにより、図３に示すように、側面部２の中央部（内曲げ部１１）が断面矩形状に折り曲げられ、両端部が断面逆台形状に折り曲げられる。
【００２０】
次に、図４及び図５に示すように、折り線Ｌ９及びＬ１０に沿って支持部４の第２支持面４ｂを直角に折り曲げる。そして、折り線Ｌ２に沿って支持部４を底面部３側（図５の矢印Ｘ方向）に回動させ、図６に示すように、第２支持面４ｂを下端部からスリット７ａ、７ｂに挿入していく。
【００２１】
このとき、図７（ａ）のように、第２支持面４ｂのフラップ１７を折り線Ｌ１１（図５参照）に沿って指で内側（図６の矢印Ｙ方向）に略１８０°折り曲げ、その状態で係合穴９ａ、９ｂに挿入する。そして、フラップ１７が係合穴９ａ、９ｂを通過した後にフラップ１７を押さえていた指を離すと、図７（ｂ）のように、フラップ１７は復元力により略水平付近まで回動して係合穴９ａ、９ｂの開口縁に係合する。
【００２２】
つまり、係合穴９ａ、９ｂとフラップ１７は支持部４のロック機構を構成しており、このロック機構により、第１支持面４ａ及び第２支持面４ｂがコ字状に折り曲げられた状態で側面部２に確実に係止されるため、支持部４は側面部２の形状を維持することができる。なお、図６及び図７では係合穴９ｂ側の構成についてのみ示したが、係合穴９ａ側についても全く同様に説明される。
【００２３】
係合穴９ａ、９ｂ及びフラップ１７の形状や配置については、第２支持面４ｂと側面部２とを確実に係合できるものであれば特に制限はないが、組み立て作業性の観点からは、フラップ１７を指で折り曲げ易い第２支持面４の挿入側上端の角部に設けることが好ましい。また、フラップ１７を大きく折り曲げずに係合穴９ａ、９ｂを通過させ、通過後はフラップ１７と係合穴９ａ、９ｂの端縁とを確実に係合させるためには、上記実施形態のようにフラップ１７は挿入方向を頂点とする略三角形状に形成し、係合穴９ａ、９ｂはスリット７ａ、７ｂの上端を頂点とする略くさび形に形成することが好ましい。
【００２４】
図８は、組み立てられた段ボールスペーサ１の平面図であり、図９は、図８の左方向から見た側面図である。図８に示すように、第１支持面４ａ、第２支持面４ｂ、及び内曲げ部１１で囲まれた空間が付属品等を収納する収納部２０となる。また、折り線Ｌ６の折り曲げによって切り込みＳ３の内側が切り起こされ、突出部２１となる。突出部２１は収納部２０内に収納された付属品等の移動を制限するストッパとして機能する。第１支持面４ａの上端部には半円状の切り欠き１５ｂが形成されているため、収納部２０内の付属品等を容易に取り出すことができる。
【００２５】
また、図９に示すように、第３側面２ｃの端面は、収納部側面２０ａ（図９のハッチング部分）を斜めに略２等分する位置に配置される。これにより、収納部２０内に重量物を収納した状態で収納部側面２０ａを下にして落下した場合でも、第３側面２ｃが補強部材となって収納部側面２０ａの潰れを抑制することができる。
【００２６】
図１０は、段ボールスペーサ１の開口部１３ｂ付近の拡大斜視図である。段ボールスペーサ１を分解若しくは廃棄する際は、開口部１３ｂから指を差し入れてフラップ１７を下向き（図１０の矢印方向）に押し下げ、その状態で係合穴９ａ、９ｂを通過させて第２支持面４ｂをスリット７ａ、７ｂから引き出すことにより、係合穴９ａ、９ｂとフラップ１７との係合を簡単に解除することができる。なお、図１０では係合穴９ｂ側の構成についてのみ図示しているが、係合穴９ａ側についても同様である。
【００２７】
その他本発明は、上記実施形態に限られるものではなく、本発明の趣旨を逸脱しない範囲で種々の変更が可能である。例えば、上記実施形態では本発明のロック機構を備えた段ボールスペーサを例示しているが、段ボールシートから形成される段ボールケース等の他のロック機構としても良い。また、段ボールシートのような復元性を有するシート材料であれば、他の材料にも適用可能である。
【産業上の利用可能性】
【００２８】
本発明は、第１シート材と、該第１シート材に形成されたスリットに挿入される第２シート材とを着脱可能に連結する際に用いられ、第２シート材には折り曲げ可能なフラップが設けられ、第１シート材にはスリットの長手方向に沿ってフラップが係合する係合穴が一体形成されており、フラップに押圧力を加えて折り曲げた状態で係合穴を通過させた後、押圧力を解除することにより、フラップが復元力により回動して係合穴の開口縁に係合するシート材のロック機構である。
【００２９】
これにより、フラップを押圧して係合穴を通過させるだけで第１シート材と第２シート材とを簡単に連結し、さらに連結を解除可能となるため、包装容器や梱包用スペーサ等のシート成形品の組み立て及び分解作業性に優れた固定方法として利用することができる。
【００３０】
さらに、フラップを第２シート材の挿入側上端の角部において挿入方向を頂点とする略三角形状に形成し、係合穴をスリットの上端を頂点とする略くさび形に形成するとともに、フラップと前記係合穴との係合を解除するための開口部を設けたので、シート成形品の分解や廃棄時における作業性がより一層向上する。
【図面の簡単な説明】
【００３１】
【図１】は、本発明のロック機構を備えた段ボールスペーサの展開図である。
【図２】は、図１の状態から側面部２を角筒状に折り曲げた状態を示す平面図である。
【図３】は、図２の左方向から見た側面図である。
【図４】は、図２の状態から第２支持面４ｂを略垂直に折り曲げた状態を示す平面図である。
【図５】は、図４の左方向から見た側面図である。
【図６】は、第２支持面４ｂがスリット７ｂに挿入される様子を示す部分斜視図である。
【図７】は、フラップ１７と係合穴９ｂとの関係を示す拡大図である。
【図８】は、段ボールスペーサを組み立てた状態を示す平面図である。
【図９】は、段ボールスペーサを図８の左方向から見た側面図である。
【図１０】は、段ボールスペーサの開口部１３ｂ周辺の拡大斜視図である。
【符号の説明】
【００３２】
１              段ボールスペーサ
２              側面部（第１シート材）
２ａ            第１側面
２ｂ            第２側面
２ｃ            第３側面
２ｄ            第４側面
３              底面部
４              支持部
４ａ            第１支持面
４ｂ            第２支持面（第２シート材）
５ａ〜５ｃ      差し込み片
７ａ、７ｂ      スリット
９ａ、９ｂ      係合穴（ロック機構）
１１            内曲げ部
１３ａ〜１３ｄ  開口部
１７            フラップ（ロック機構）
１９            差し込み穴
２０            収納部
２０ａ          収納部側面
２１            突出部
【図１】
0005020014.tif 000002
【図２】
0005020014.tif 000003
【図３】
0005020014.tif 000004
【図４】
0005020014.tif 000005
【図５】
0005020014.tif 000006
【図６】
0005020014.tif 000007
【図７】
0005020014.tif 000008
【図８】
0005020014.tif 000009
【図９】
0005020014.tif 000010
【図１０】
0005020014.tif 000011